(57)【要約】【課題】本発明は、構造が簡単で短工期で施工することができる、耐震性のあるガラススクリーン構造体及びガラススクリーン工法を提供する。【解決手段】本発明のガラススクリーン構造体１０によれば、面ガラス１４の面外方向に働く風圧力等の力に対し、目地部１８の中央近傍部１８Ａに打設されたシール材２０が十分な引張強度、剪断強度、及び接着強度を持つ。また、地震等で躯体２２に層間変位が生じた時に、方立ガラス１６の上部及び下部で面ガラス１４と方立ガラス１６との変位量の差が大きくなった場合でも、方立ガラス１６の上部及び下部は接着防止処理手段によって接着防止処理が施された非接着部分なので、方立ガラス１６の上部と下部は面ガラス１４にほとんど拘束されることなく独自に動く。すなわち、非接着部分が層間変位発生時の面ガラス１４と方立ガラス１６との動きの違いを吸収する。【選択図】図１
2014214582.tif 000002
【特許請求の範囲】
【請求項１】
複数枚のガラス板が面一、又は所定の角度を有して配置されてなる面ガラスと、
前記面ガラスの隣接する前記ガラス板の上下方向に位置する目地部に沿って配置されるとともに前記目地部に沿って打設された単一のシール材によって前記ガラス板に対して所定の角度方向に接着される方立ガラスと、
を備えたガラススクリーン構造体であって、
前記目地部の高さ方向の中央近傍部を除く上部及び下部には、接着防止処理手段によって接着防止処理が施されていることを特徴とするガラススクリーン構造体。
【請求項２】
前記接着防止処理手段は、前記方立ガラス又は前記面ガラスに貼り付けられるとともに、前記シール材に対して非接着のテープである請求項１に記載のガラススクリーン構造体。
【請求項３】
前記接着防止処理手段は、前記方立ガラス又は前記面ガラスに塗布されるとともに、前記シール材に対して非接着のコーティング剤である請求項１に記載のガラススクリーン構造体。
【請求項４】
前記目地部の前記上部及び前記下部とは耐風圧上影響の少ない部分であって、前記上部及び前記下部の高さ方向の長さが、前記ガラス板の短辺の長さの１／２、又は１メートルである請求項１、２又は３に記載のガラススクリーン構造体。
【請求項５】
前記目地部の前記中央近傍部の前記シール材の接着力が設計許容応力値以上に設定され、前記設計許容応力値とは、０．１４Ｎ／ｍｍ２である請求項１から４のいずれか１項に記載のガラススクリーン構造体。
【請求項６】
複数枚のガラス板を面一、又は所定の角度を有して配置して面ガラスを構成し、前記面ガラスの隣接する前記ガラス板の上下方向に位置する目地部に沿って方立ガラスを配置するとともに前記目地部に沿って単一のシール材を打設することにより前記方立ガラスを前記ガラス板に対して所定の角度方向に接着してなるガラススクリーン工法であって、
前記目地部の高さ方向の中央近傍部を除く上部及び下部に、接着防止処理手段によって接着防止処理を施した後、前記シール材を前記目地部の全長に亙って打設して前記面ガラスと前記方立ガラスとを接着することを特徴とするガラススクリーン工法。
【請求項７】
前記接着防止処理手段は、前記方立ガラス又は前記面ガラスに貼り付けられるとともに、前記シール材に対して非接着のテープである請求項６に記載のガラススクリーン工法。
【請求項８】
前記接着防止処理手段は、前記方立ガラス又は前記面ガラスに塗布されるとともに、前記シール材に対して非接着のコーティング剤である請求項６に記載のガラススクリーン工法。
【請求項９】
前記目地部の前記上部及び前記下部とは耐風圧上影響の少ない部分であって、前記上部及び前記下部の高さ方向の長さが、前記ガラス板の短辺の長さの１／２、又は１メートルである請求項６、７又は８に記載のガラススクリーン工法。
【請求項１０】
前記目地部の前記中央近傍部の前記シール材の接着力が設計許容応力値以上に設定され、前記設計許容応力値とは、０．１４Ｎ／ｍｍ２である請求項６から９のいずれか１項に記載のガラススクリーン工法。
【発明の詳細な説明】
【技術分野】
【０００１】
本発明は、ガラススクリーン構造体及びガラススクリーン工法に関する。
【背景技術】
【０００２】
近年、ビル等の建築物の開口部を大型ガラススクリーンによって構成するガラススクリーン構造体が数多く施工されている。
【０００３】
ガラススクリーン構造体は、複数枚のガラス板が面一、又は所定の角度を有して配置されてなる面ガラスと方立ガラスとを備える。方立ガラスは、面ガラスの隣接するガラス板の上下方向に位置する目地部に沿って配置されるとともに目地部に沿って打設されたシール材によって面ガラスに対し所定の角度方向に接着される。シール材は、面ガラスの面外方向に働く風圧力等の力に対し十分な引張強度、剪断強度、及び接着強度を持つ高モジュラスのシール材が用いられている。
【０００４】
なお、面ガラスと方立ガラスの下端部は、躯体に固定された下部固定枠に固定され、上端部は上部固定枠に固定されている。
【０００５】
前記ガラススクリーン構造体において、地震等によって躯体に層間変位が生じた時の面ガラス及び方立ガラスの変位を図７に示す模式図を用いて説明する。
【０００６】
図７の符号１はガラス板、符号２は面ガラス、符号３で示す破線は方立ガラスである。方立ガラス３の上端部が上部固定枠４を介して躯体５に、そして、方立ガラス３の下端部が下部固定枠６を介して躯体５に完全に固定されているため、躯体５が地震等によって層間変位を受けて、躯体５の上部固定枠４側にＤ方向の力が働き、下部固定枠６側にＥ方向の力が働き、躯体がＣ−Ｃ方向に傾いて変位量Ｘだけ変位する時、方立ガラス３の上端部及び下端部は躯体５と同じ層間変位量Ｘを生じる。
【０００７】
一方、面ガラス２は相隣り合うガラス板１、１…との間のシール材（不図示）の拘束、及びガラス板１の自身重量による慣性力を受けるため、躯体５の層間変位量Ｘに比べて、面ガラス２の層間変位量Ｙは一般的に小さくなろうとする。すなわち、本来の現象としては、面ガラス２と方立ガラス３は地震時に異なる動きをしようとする。
【０００８】
しかしながら、面ガラス２と方立ガラス３とは、目地部７の全域に打設された高モジュラスのシール材によって接着されているため、上記の異なる動きをしようとする作用に逆らって、方立ガラス３の上端部及び下端部以外の部分（中央近傍部）では面ガラス２と方立ガラス３とは同じ動きをしようとするが、上記の通り、方立ガラス３の上端部及び下部は躯体５と同じ動きをするため、上端部及び下端部の近傍部では面ガラス２と方立ガラス３との変位量の差が大きくなる。
【０００９】
そのため方立ガラス３は、図７の破線に示すような略Ｓ字形の変位を起こし、方立ガラス３の上端部及び下端部に対して若干中央よりの上部近傍部Ｇ、及び下部近傍部Ｆで、方立ガラス３に大きな曲げ荷重が加わり、地震の規模によっては方立ガラス３が破損することがある。
【００１０】
特許文献１では、上記問題を解決するために、面ガラスを上部躯体から吊り下げるとともに、方立ガラスの下端部と下部躯体とをスライド可能に分離する二重枠構造体を介して方立ガラスの下端部を下部躯体に支持させている。
【００１１】
特許文献１によれば、前記二重枠構造体のスライド作用によって、方立ガラスは地震時に面ガラスと同じ動きをする。これにより、方立ガラスの上部近傍部、及び下部近傍部には大きな曲げ変位、曲げ応力が加わらないので、耐震性能を発揮する。
【００１２】
しかしながら、特許文献１のガラススクリーン構造体は、構造が複雑な前記二重枠構造体を必要とするので、ガラススクリーン構造体全体が複雑な構造となり、また工期も長くなるという問題があった。
【００１３】
一方、特許文献２のガラススクリーン工法では、目地部に打設されるシール材を、中央近傍部は高モジュラスのシール材を使用し、中央近傍部を除く上部及び下部では中モジュラス、又は低モジュラスのシール材を使用することによって、地震時の動きの違いを吸収する機構を持たせている。
【００１４】
特許文献２のガラススクリーン構造体は、前記二重枠構造体を備えた特許文献１のガラススクリーン構造体と比較して構造が簡単なので、工期を短縮できるという利点がある。なお、前記中央近傍部とは、中央部と中央部の上下の近傍部とを含んだ部分をいう。
【００１５】
前記シール材のモジュラスは、ＪＩＳ Ａ５７５８：２０１０に記載の引張接着性試験により試験された時に、５０％モジュラスの引張応力（シール材が元の長さの５０％増しの長さである１５０％の長さになる時の引張応力をいう。）によって決められる。高モジュラス、中モジュラス、及び低モジュラスの引張応力は特許文献２に記載されている。
【００１６】
高モジュラス及び中モジュラスのシール材の材質としては、脱酢酸型、脱オキシム型、脱アルコール型等のシリコーン系シール材を使用できる。低モジュラスのシール材の材質としては、脱アミド型、脱アミノキシ型等のシリコーン系シール材を使用できる。
【先行技術文献】
【特許文献】
【００１７】
【特許文献１】特開昭５６−３７８４号公報
【特許文献２】特開平９−６７８８３号公報
【発明の概要】
【発明が解決しようとする課題】
【００１８】
しかしながら、特許文献１のガラススクリーン構造体は、前述の如く二重枠構造体を備えているので、構造が複雑化するという問題があった。
【００１９】
また、特許文献２のガラススクリーン工法では、種類の異なる２種類のシール材を目地部に沿って別々に打設しなければならないので手間がかかり、ガラススクリーン構造体の工期が長くなるという問題があった。
【００２０】
本発明は、このような事情に鑑みてなされたもので、構造が簡単で短工期で施工することができる、耐震性のあるガラススクリーン構造体及びガラススクリーン工法を提供することを目的とする。
【課題を解決するための手段】
【００２１】
本発明は、前記目的を達成するために、複数枚のガラス板が面一、又は所定の角度を有して配置されてなる面ガラスと、前記面ガラスの隣接する前記ガラス板の上下方向に位置する目地部に沿って配置されるとともに前記目地部に沿って打設された単一のシール材によって前記ガラス板に対して所定の角度方向に接着される方立ガラスと、を備えたガラススクリーン構造体であって、前記目地部の高さ方向の中央近傍部を除く上部及び下部には、接着防止処理手段によって接着防止処理が施されていることを特徴とするガラススクリーン構造体を提供する。
【００２２】
また、本発明は、前記目的を達成するために、複数枚のガラス板を面一、又は所定の角度を有して配置して面ガラスを構成し、前記面ガラスの隣接する前記ガラス板の上下方向に位置する目地部に沿って方立ガラスを配置するとともに前記目地部に沿って単一のシール材を打設することにより前記方立ガラスを前記ガラス板に対して所定の角度方向に接着してなるガラススクリーン工法であって、前記目地部の高さ方向の中央近傍部を除く上部及び下部に、接着防止処理手段によって接着防止処理を施した後、前記シール材を前記目地部の全長に亙って打設して前記面ガラスと前記方立ガラスとを接着することを特徴とするガラススクリーン工法を提供する。
【００２３】
本発明のガラススクリーン構造体によれば、面ガラスの面外方向に働く風圧力等の力に対し、目地部の中央近傍部に打設されたシール材が十分な引張強度、剪断強度、及び接着強度を持つ。また、地震等で躯体に層間変位が生じた時に、方立ガラスの上部及び下部で面ガラスと方立ガラスとの変位量の差が大きくなった場合でも、方立ガラスの上部及び下部は、接着防止処理手段による接着防止処理によって面ガラスに接着されていない部分（以下、非接着部分という）なので、方立ガラスの上部と下部は面ガラスにほとんど拘束されることなく独自に動く。すなわち、非接着部分が層間変位発生時の面ガラスと方立ガラスとの動きの違いを吸収する。よって、層間変位時に方立ガラスの上部と下部には大きな曲げ変位、曲げ応力が生じないので、層間変位発生時における方立ガラスの上部及び下部の破損を防止できる。したがって、本発明のガラススクリーン構造体は優れた耐震性能を有する。
【００２４】
本発明の面ガラス及び方立ガラスの下端部は、躯体に固定された下部固定枠に嵌め込まれている。例えば、面ガラス及び方立ガラスの荷重を下端部で支持する場合には、面ガラス及び方立ガラスの下端部を下部固定枠に嵌め込み、下部固定枠内に設置したセッティングブロックの上に面ガラス及び方立ガラスの下端部を載置する。また、面ガラス及び方立ガラスの上端部は、躯体に固定された上部固定枠に嵌め込まれる。
【００２５】
一方、ガラススクリーン構造体を吊り構造体とする場合には、面ガラス及び方立ガラスの下端部を前記下部固定枠に嵌め込むとともに、面ガラス及び方立ガラスの上端部を吊り金具を介して躯体に取り付ける。
【００２６】
すなわち、本発明のガラススクリーン構造体は、面ガラス及び方立ガラスの少なくとも下端部が下部固定枠を介して躯体に固定されるものを対象とする。
【００２７】
更に、本発明は、ガラススクリーン構造体の構造を簡素化するために、特許文献１に記載された二重枠構造体を使用せず、また、ガラススクリーン構造体の工期を短縮するために、特許文献２に記載された２種類のシール材を使用せず、単一のシール材を使用する。そのシール材としては、前記接着部分の接着力を設計許容応力値以上に設定するために、高モジュラスのシール材を使用することが好ましい。
【００２８】
本発明の前記接着防止処理手段は、前記方立ガラス又は前記面ガラスに貼り付けられるとともに、前記シール材に対して非接着のテープであることが好ましい。
【００２９】
本発明のガラススクリーン構造体は、前記方立ガラス又は前記面ガラスに、前記シール材に対して非接着のテープを貼り付けることにより、目地部の高さ方向の上部及び下部に接着防止処理を施すことができる。
【００３０】
本発明のガラススクリーン工法は、目地部の高さ方向の上部及び下部に位置する前記方立ガラス又は前記面ガラスに、前記シール材に対して非接着のテープを予め貼り付ける。この後、前記シール材を前記目地部の全長に亙って打設して前記面ガラスと前記方立ガラスとを接着する。これにより、非接着部分の接着力が零、又は設計許容応力値未満となる。
【００３１】
本発明は、単一のシール材を目地部に沿って打設すればよいので、特許文献２の工法と比較してガラススクリーン構造体の工期を短縮できる。
【００３２】
本発明の前記接着防止処理手段は、前記方立ガラス又は前記面ガラスに塗布されるとともに、前記シール材に対して非接着のコーティング剤であることが好ましい。
【００３３】
本発明のガラススクリーン構造体は、目地部の高さ方向の上部及び下部に位置する前記方立ガラス又は前記面ガラスに、前記シール材に対して非接着のコーティング剤を塗布することにより、目地部の高さ方向の上部及び下部に接着防止処理を施すことができる。
【００３４】
本発明のガラススクリーン工法は、目地部の高さ方向の上部及び下部に位置する前記方立ガラス又は前記面ガラスに、前記シール材に対して非接着のコーティング剤を予め塗布する。この後、前記シール材を前記目地部の全長に亙って打設して前記面ガラスと前記方立ガラスとを接着する。
【００３５】
これにより、非接着部分の接着力が零、又は前記設計許容応力値未満となる。
【００３６】
また、本発明は、単一のシール材を目地部に沿って打設すればよいので、特許文献２の工法と比較してガラススクリーン構造体の工期を短縮できる。
【００３７】
本発明のガラススクリーン構造体及びガラススクリーン工法において、前記目地部の前記上部及び前記下部とは耐風圧上影響の少ない部分であって、前記上部及び前記下部の高さ方向の長さが、前記ガラス板の短辺の長さの１／２、又は１メートルであることが好ましい。
【００３８】
ガラススクリーン構造体が風圧力を受けた時にシール材は、線荷重を受けるが、風圧力の大部分は、目地部の中央近傍部が負担し、目地部の上部及び下部の負担は小さい。よって、耐風圧上影響の少ない目地部の上部及び下部を非接着部分としても、耐風圧上問題のないガラススクリーン構造体を構成できる。なお、非接触部分の上下方向の長さは、前記ガラス板の短辺の長さの１／２、又は１メートルである。また、前記１／２、１メートルの長さは、厳密ではなく当業者が想定できる許容値を含むものとする。
【００３９】
本発明のガラススクリーン構造体及びガラススクリーン工法において、前記目地部の前記中央近傍部の前記シール材の接着力が設計許容応力値以上に設定され、前記設計許容応力値とは、０．１４Ｎ／ｍｍ２であることが好ましい。
【００４０】
本発明の設計許容応力値である０．１４Ｎ／ｍｍ２は、ガラス方立構法技術指針（案）（発行所：財団法人 日本建築学会 ２０１１年１月２５日 第１版第１印 Ｐ４５）に基づく。
【００４１】
方立ガラスは面ガラスを補強するものである。面ガラスの隣接するガラス板の目地部（突き合わせ部）にこれら面ガラスと直角な２方向（例えば室内側を上下方向、室外側を水平方向）に方立ガラスを配置してもよく、本発明の如く、意匠性を向上させるために直角な１方向（上下方向）のみに方立ガラスを配置してもよい。後者の場合、風等の力は一般に室外側から室内側に向けて加わるので、その力に対して面ガラスを支えることから、方立ガラスは室内側に配置する。
【発明の効果】
【００４２】
本発明によれば、耐震性があり、構造が簡単で短工期で施工することができるガラススクリーン構造体及びガラススクリーン工法を提供できる。
【図面の簡単な説明】
【００４３】
【図１】実施の形態のガラススクリーン構造体の要部拡大斜視図
【図２】図１に示したガラススクリーン構造体のＡ−Ａ線に沿う断面図
【図３】図１に示したガラススクリーン構造体が風圧力を受けた時にシール材に生じる線荷重の高さ方向の分布を示した説明図
【図４】図１に示したガラススクリーン構造体が層間変位を受けた時に面ガラスと方立ガラスとに生じる変位の状態を模式的に示した説明図
【図５】非接着部分に非接着のテープを介在させた要部拡大断面図
【図６】非接着部分に非接着のコテーティング剤を塗布した要部拡大断面図
【図７】従来のガラススクリーン構造体が層間変位を受けた時に面ガラスと方立ガラスとに生じる変位の状態を模式的に示した説明図
【発明を実施するための形態】
【００４４】
以下、添付図面に従って本発明に係るガラススクリーン構造体及びガラススクリーン工法の好ましい実施の形態について詳説する。
【００４５】
図１は、実施の形態のガラススクリーン構造体１０の要部拡大斜視図である。
【００４６】
ガラススクリーン構造体１０は、複数枚のガラス板１２、１２…が面一に配置されてなる面ガラス１４と、複数枚の方立ガラス１６とから構成される。方立ガラス１６は、面ガラス１４の隣接するガラス板１２、１２の上下方向に位置する目地部１８に沿って配置されるとともに目地部１８に沿って打設された、図２の単一の高モジュラスのシール材２０によってガラス板１２に対して直角方向に接着される。図２は、図１に示した目地部１８の中央近傍部１８ＡのＡ−Ａ線に沿う水平方向の断面図である。なお、ガラス板１２、１２…の配置は前記面一に限定されるものではなく、所定の角度を有して配置してもよい。また、方立ガラス１６の接着方向も前記直角方向に限定されるものではなく、所定の角度方向であってもよい。
【００４７】
実施の形態のガラススクリーン構造体１０は、図１の如く目地部１８の高さ方向の中央近傍部１８Ａが面ガラス１４と方立ガラス１６との接着部分に設定され、中央近傍部１８Ａの接着力が設計許容応力値以上に設定される。また、目地部１８の高さ方向の中央近傍部１８Ａを除く上部１８Ｂ及び下部１８Ｃには、後述する接着防止処理手段によって接着防止処理が施されている。これにより、上部１８Ｂ及び下部１８Ｃが面ガラス１４と方立ガラス１６との非接着部分に設定され、上部１８Ｂ及び下部１８Ｃの接着力が設計許容応力値未満に設定されている。
【００４８】
目地部１８の上部１８Ｂ及び下部１８Ｃは、ガラススクリーン構造体１０において耐風圧上影響の少ない部分であって、上部１８Ｂ及び下部１８Ｃの高さ方向の長さが、ガラス板１２の短辺の長さの１／２、又は１メートルであることが好ましい。
【００４９】
図３には、ガラススクリーン構造体１０が風圧力を受けた時に、シール材２０に生じる線荷重の高さ方向の分布が斜線で示されている。
【００５０】
同図によれば、前記風圧力の大部分は、目地部１８の中央近傍部１８Ａが負担し、上部１８Ｂ及び下部１８Ｃの負担は小さい。よって、耐風圧上影響の少ない目地部１８の上部１８Ｂ及び下部１８Ｃを非接着部分としても、耐風圧上問題のないガラススクリーン構造体１０を構成できる。また、上部１８Ｂ及び下部１８Ｃの上下方向の長さは、前述の如くガラス板１２の短辺の長さの１／２、又は１メートルであるが、前記１／２、１メートルの長さは、厳密ではなく当業者が想定できる許容値を含む。
【００５１】
更に、前記設計許容応力値とは、０．１４Ｎ／ｍｍ２であることが好ましい。この０．１４Ｎ／ｍｍ２の値は、ガラス方立構法技術指針（案）（発行所：財団法人 日本建築学会 ２０１１年１月２５日 第１版第１印 Ｐ４５）に基づくものである。
【００５２】
図１の如く、面ガラス１４及び方立ガラス１６の下端部は、躯体２２に固定された下部固定枠２４Ａに嵌め込まれている。このように面ガラス１４及び方立ガラス１６の荷重を下端部で支持する場合には、面ガラス１４及び方立ガラス１６の下端部を下部固定枠２４Ａに嵌め込み、下部固定枠２４Ａ内に設置したセッティングブロック（不図示）の上に面ガラス１４及び方立ガラス１６の下端部を載置する。なお、実施の形態のガラススクリーン構造体１０は、面ガラス１４及び方立ガラス１６の上端部が、図４の如く躯体２２に固定された上部固定枠２４Ｂに嵌め込まれている。なお、図４は模式図である。
【００５３】
一方、ガラススクリーン構造体１０を吊り構造体とする場合には、面ガラス１４及び方立ガラス１６の下端部を下部固定枠２４Ａに嵌め込むとともに、面ガラス１４及び方立ガラス１６の上端部を吊り金具（不図示）を介して躯体２２に取り付ける。すなわち、実施の形態のガラススクリーン構造体１０は、面ガラス１４及び方立ガラス１６の少なくとも下端部が下部固定枠２４Ａを介して躯体２２に固定されるものを対象としている。
【００５４】
図４は、図１のガラススクリーン構造体１０が地震等により層間変位を受けた時に面ガラス１４と方立ガラス１６に生じる変位の状態を模式的に示した説明図である。
【００５５】
前述の如く、方立ガラス１６の上端部が上部固定枠２４Ｂを介して躯体２２に、そして方立ガラス１６の下端部が下部固定枠２４Ａを介して躯体２２に完全に固定されているために、躯体２２が地震等により層間変位を受けて、躯体２２の上部固定枠２４Ｂ側にＤ方向の力が働き、躯体２２の下部固定枠２４Ａ側にＥ方向の力が働き、躯体２２がＣ−Ｃ方向に傾いて層間変位Ｘだけ変位すると、方立ガラス１６の上端部及び下端部は躯体２２と同じ層間変位量Ｘを生じる。
【００５６】
一方、面ガラス１４は、相隣り合うガラス板１２、１２との間のシール材１８（図２参照）による拘束、及びガラス板１２の自身重量による慣性力を受けるため、躯体２２の層間変位量Ｘに比べて、面ガラス１４の層間変位量Ｙは一般的に少なくなろうとする、すなわち、本来の現象としては、面ガラス１４と方立ガラス１６は地震時に異なる動きをしようとする。
【００５７】
ここまでは、特許文献１のガラススクリーン構造体も実施の形態のガラススクリーン構造体１０も同じ作用であるが、特許文献１では面ガラスと方立ガラスとは目地部の全域において高モジュラスのシール材で接着されているため、目地部の上部及び下部以外の部分では面ガラスと方立ガラスとが同じ動きをしようとする。一方で、方立ガラスの上端部及び下端部は、躯体と同じ動きをするために、上端部及び下端部では面ガラスと方立ガラスとの変位量の差が大きくなる。そのため、図７の如く方立ガラスは略Ｓ字形の変位を起こし、方立ガラスの上端部及び下端部より若干中央よりの部分Ｆ、Ｇ（図７参照）で、方立ガラスに大きな曲げ荷重が加わり、地震の規模によってはガラス板が破損する場合があった。
【００５８】
これに対して、実施の形態のガラススクリーン構造体１０では、面ガラス１４の面外方向に働く風圧力等の力に対しては、目地部１８の中央近傍部１８Ａに打設された高モジュラスのシール材２０によって十分な引張強度、剪断強度、及び接着強度を持つ。
【００５９】
また、地震等で躯体２２に層間変位が生じた時に、方立ガラス１６の上部及び下部で面ガラス１４と方立ガラス１６との変位量の差が大きくなった場合でも、方立ガラス１６の上部及び下部は接着防止処理が施された非接着部分なので、方立ガラス１６の上部と下部は面ガラス１４にほとんど拘束されることなく独自に動く。すなわち、方立ガラス１６は、非接着部分が層間変位発生時の面ガラス１４と方立ガラス１６との動きの違いを吸収し、図４のＣ−Ｃ方向に沿って動く。よって、層間変位時に方立ガラス１６の上部と下部には大きな曲げ変位、曲げ応力が生じないので、層間変位発生時における方立ガラスの上部及び下部の破損を防止できる。したがって、実施の形態のガラススクリーン構造体１０は優れた耐震性能を有する。
【００６０】
以下、接着防止処理手段によって接着防止処理が施された前記非接着部分の形態について図５、図６を参照して説明する。なお、図５、図６は、図１のＢ−Ｂ線に沿う目地部１８の上部１８Ｂ（下部１８Ｃも同様）の水平方向の断面図である。
【００６１】
図５に示す接着防止処理手段の形態は、目地部１８の上部１８Ａ（下部１８Ｃも同様）の方立ガラス１６又は面ガラス１４に、シール材２０に対して非接着のテープ２８を貼り付けることにより、目地部１８の上部１８Ａ（下部１８Ｃも同様）に接着防止処理を施したものである。
【００６２】
テープ２８を有するガラススクリーン構造体１０の施工方法は、目地部１８の上部１８Ａ（下部１８Ｃも同様）の方立ガラス１６又は面ガラス１４に、シール材２０に対して非接着のテープ２８を予め貼り付けた後、シール材２０を目地部１８の全長に亙って打設して面ガラス１４と方立ガラス１６とを接着する。
【００６３】
これにより、目地部１８の上部１８Ａ（下部１８Ｃも同様）の接着力が零になるので、目地部１８の上部１８Ａ（下部１８Ｃも同様）を非接着部分とすることができる。
【００６４】
また、本形態は、単一のシール材２０を目地部１８に沿って打設すればよいので、特許文献２の工法と比較してガラススクリーン構造体１０の工期を短縮できる。更に、非接着のテープ２８としては、ポリテトラフルオロエチレン系のテープを例示できる。なお、図５では、方立ガラス１６、面ガラス１４の両方にテープ２８を貼り付けているが、テープ２８は、方立ガラス１６、面ガラス１４の少なくとも一方側に貼り付ければよい。
【００６５】
図６に示す接着防止処理手段の形態は、目地部１８の上部１８Ａ（下部１８Ｃも同様）の方立ガラス１６又は面ガラス１４に、シール材２０に対して非接着のコーティング剤３０を塗布することにより、目地部１８の上部１８Ａ（下部１８Ｃも同様）に接着防止処理を施したものである。
【００６６】
コーティング剤３０が塗布されたガラススクリーン構造体１０の施工方法は、目地部１８の上部１８Ａ（下部１８Ｃも同様）の方立ガラス１６又は面ガラス１４に、シール材２０に対して非接着のコーティング剤３０を予め塗布した後、シール材２０を目地部１８の全長に亙って打設して面ガラス１４と方立ガラス１６とを接着する。
【００６７】
これにより、目地部１８の上部１８Ａ（下部１８Ｃも同様）の接着力が零になるので、目地部１８の上部１８Ａ（下部１８Ｃも同様）を非接着部分とすることができる。
【００６８】
また、本形態は、単一のシール材２０を目地部１８に沿って打設すればよいので、特許文献２の工法と比較してガラススクリーン構造体１０の工期を短縮できる。更に、非接着のコーティング剤３０としては、ポリテトラフルオロエチレン系のコーティング剤を例示できる。なお、図６では、面ガラス１４と方立ガラス１６との双方にコーティング剤３０を塗布したが、どちらか一方にコーティング剤３０を塗布すればよい。
【００６９】
また、実施の形態のガラススクリーン構造体１０は、構造を簡素化するために、特許文献１に記載された二重枠構造体を使用せず、また、ガラススクリーン構造体１０の工期を短縮するために、特許文献２に記載された２種類のシール材を使用せず、単一のシール材２０を使用している。シール材２０としては、前記接着部分の接着力を設計許容応力値以上に設定するために、高モジュラスのシール材を使用することが好ましい。
【符号の説明】
【００７０】
１０…ガラススクリーン構造体、１２…ガラス板、１４…面ガラス、１６…方立ガラス、２０…シール材、２２…躯体、２４Ａ…下部固定枠、２４Ｂ…上部固定枠、２８…テープ、３０…コーティング剤
【図１】
2014214582.tif 000003
【図２】
2014214582.tif 000004
【図３】
2014214582.tif 000005
【図４】
2014214582.tif 000006
【図５】
2014214582.tif 000007
【図６】
2014214582.tif 000008
【図７】
2014214582.tif 000009